(57)【要約】【課題】何重に重ねても引き抜きが容易であり、且つ収納物品の収納空間を干渉することのない突部を有する包装用緩衝材を提供する。【解決手段】収納凹部４を取り囲む側壁部５同士が隣接するコーナ部７の上部に、コーナ部７を挟むよ両側の側壁部５に亘って一対のスリット８が上下に配置され、この一対のスリット８で挟まれた部分が切り込み部９となっている。この切り込み部９は、内側へ向けて折り込むことにより、内側の収納凹部４に向けて突出する突部としてしての機能を有する。【選択図】図２
2005145545.tif 000002
【特許請求の範囲】
【請求項１】
パルプモールドにより成形され、収納物品を収納する収納凹部が形成された包装用緩衝材であって、
前記収納凹部を形成する側壁のコーナ部に、折り曲げにより該収納凹部内へ出没する切り込み部が形成されていることを特徴とする包装用緩衝材。
【請求項２】
前記切り込み部は、前記コーナ部の両側に亘って一対のスリットが形成されてなることを特徴とする請求項１記載の包装用緩衝材。
【請求項３】
前記切り込み部は、前記収納凹部を形成する前記側壁の上部に形成され、当該収納凹部に収納される収納物品の上部を保持可能であることを特徴とする請求項１又は請求項２に記載された包装用緩衝材。
【発明の詳細な説明】
【技術分野】
【０００１】
本発明は包装用緩衝材に関し、さらに詳しくは、例えば電子機器類やその付属部品類等の収納物品を包装箱に収納する際に、収納物品を安定して配置させることができる包装用緩衝材に関する。
【背景技術】
【０００２】
例えば複写機、ファクシミリ、プリンタ、及びこれらの複合機等の電子機器類や、これら機器類用の付属部品類、例えば用紙カセット等を運搬し、あるいは梱包する場合には収納物品を保護するために、包装用緩衝材を用いて包装することが行われている。
【０００３】
近年、包装用緩衝材としては、環境への影響や資源の有効利用等の観点から再生紙を主原料としたパルプモールドによって形成されたものが用いられている（例えば、特許文献１参照。）。しかし、このような包装用緩衝材は、互いに嵌合させて何重にも重ねて置くため、包装するときに一つを引き抜く際、余計な力が必要であった。また、包装用緩衝材は、比較的薄い肉厚であるため、うまく引き抜かないと破れてしまう場合があった。
【０００４】
このため、図５及び図６に示すような包装用緩衝材１０が提案されている。なお、図５は包装用緩衝材１０を斜め上から見た状態を示す斜視図、図６は包装用緩衝材１０を斜め下方から見た状態を示す斜視図である。
【０００５】
この包装用緩衝材１０は、載置、収納される収納物品の形状に応じて凹み部１１が形成されたものであり、この凹み部１１の側壁１２に内側に向けて突出した突部（リブ）１３が形成されている。このような突部１３が形成されているため、包装用緩衝材１０同士を重ね合わされると、この突部１３が両者の嵌合を途中で阻止して両者を引き離し易くしている。図６に破線で示す突部１３は、下に重ねられる包装用緩衝材１０のものを表している。すなわち、このように下側に位置する包装用緩衝材１０の突部１３が、上側に位置する包装用緩衝材１０の底部１４に突き当たるため、両者の深い嵌合は阻止されるようになっている。
【０００６】
【特許文献１】特開２００２−２７４５７２号公報（第４頁、図１）
【発明の開示】
【発明が解決しようとする課題】
【０００７】
しかしながら、上述の包装用緩衝材１０に形成された突部１３は、収納物品を収納する空間に干渉しない大きさ、形状である必要があるため小さいものであり、包装用緩衝材１０同士を強く押し込むと、一方の包装用緩衝材１０が突部１３を乗り越えて奥まで嵌合してしまうことがあり、この場合は従来の包装用緩衝材を通常に重ねた場合より引き抜きにくくなり、破損し易くなる（破れ易くなる）という問題があった。
【０００８】
そこで、本発明の目的は、何重に重ねても引き抜きが容易であり、且つ収納物品の収納空間を干渉することのない突部を備える包装用緩衝材を提供することにある。
【０００９】
また、本発明の他の目的は、梱包作業が円滑にでき、破損の虞の少ない包装用緩衝材を提供することにある。
【課題を解決するための手段】
【００１０】
請求項１記載の発明は、パルプモールドにより成形され、収納物品を収納する収納凹部が形成された包装用緩衝材に関するものである。この発明に係る包装用緩衝材は、前記収納凹部を形成する側壁のコーナ部に、折り曲げにより該収納凹部内へ出没する切り込み部が形成されていることを特徴としている。
【００１１】
請求項２記載の発明は、請求項１記載の包装用緩衝材に関するものである。この発明に係る包装用緩衝材は、前記切り込み部が、前記コーナ部の両側に亘って一対のスリットが形成されてなることを特徴としている。
【００１２】
請求項３記載の発明は、請求項１又は請求項２に記載された包装用緩衝材に関するものである。この発明に係る包装用緩衝材は、前記切り込み部が、前記収納凹部を形成する前記側壁の上部に形成され、当該収納凹部に収納される収納物品の上部を保持可能であることを特徴としている。
【発明の効果】
【００１３】
本発明によれば、重ね合わせた状態から一つ一つを取り出し易く、破損の発生を抑制した包装用緩衝材を実現することができる。
【００１４】
また、本発明によれば、重ね合わせた状態から取り出し易くするための突部が収納物品の収納に支障を来すことのない包装用緩衝材を実現することができる。
【００１５】
さらに、本発明によれば、収納物品を収納した状態でこの収納物品を保持することが可能な包装用緩衝材を実現することができる。
【発明を実施するための最良の形態】
【００１６】
本発明を実施するための最良の形態に係る包装用緩衝材は、パルプモールドにより成形され、収納物品を収納する収納凹部が形成されたものである。この収納凹部は、パルプモールドにより成形された側壁に取り囲まれて形成される。
【００１７】
特に、本実施の形態では、側壁のコーナ部に、折り曲げによりこの収納凹部内へ出没する切り込み部が形成されている。この切り込みが形成された部分は、側壁のコーナ部に形成されているため、成形時は側壁のコーナ部と同じで外側から見ると角状に突出しているが、外側へ角状に突出しているがために、内側へ向けて折り込むことにより、内側の収納空間に向けて突出することが可能になる。
【００１８】
この切り込み部は、側壁のコーナ部の両側に亘って一対のスリットが形成されてなることが好ましい。この一対のスリットで挟まれた部分は、側壁に対して自由になるため、収納空間の内側に向けての折り曲げが可能となる。
【００１９】
また、この切り込み部は、収納凹部を形成する側壁の上部のコーナ部に形成すれば、この凹部に収納される収納物品の上部を保持したり、緩衝作用を及ぼすことが可能となる。
【実施例】
【００２０】
以下、本発明の実施例に係る包装用緩衝材の詳細を図１〜図４に基づいて説明する。ただし、図面は模式的なものであり、寸法の比率や形状などは現実のものとは異なることに留意すべきである。また、図面相互間においても互いの寸法の関係や比率が異なる部分が含まれている。
【００２１】
なお、図１は本実施例に係る包装用緩衝材１に収納空間の内側へ突部を形成していない状態を斜め上から見た斜視図、図２は包装用緩衝材１の収納空間の内側へ突部を形成した状態を斜め上から見た斜視図、図３は包装用緩衝材１に収納空間の内側へ突部を形成していない状態を斜め下から見た斜視図、図４は包装用緩衝材１の収納空間の内側へ突部を形成した状態を斜め下から見た斜視図である。
【００２２】
本実施例に係る包装用緩衝材１は、図示しない包装箱の内側面に沿って収納、配置されるようになっている。また、この包装用緩衝材１の構成材料は再生紙であり、パルプモールド法により成形してなる。
【００２３】
包装用緩衝材１は、図示しない包装箱の内側面に沿って、この内側面に略密接するように配置される外枠壁部２が周回するように形成されている。この外枠壁部２の上縁には、上壁部３が形成されている。この上壁部３は、外枠壁部３の上縁の内側に沿って周回するように環状に形成されている。また、この上壁部３で取り囲まれる部分は、下方に凹んだ収納凹部４となっている。この収納凹部４は、図１〜図４に示すように、上壁部３の内側縁を上縁とする側壁部５と、これら側壁部５の下縁に連続する底壁部６と、から大略構成されている。なお、これらの壁部には、収納する収納物品に対応して適宜凹凸が形成されている。
【００２４】
そして、本実施例においては、図１及び図３に示すように、収納凹部４を取り囲む側壁部５同士が隣接するコーナ部（隅部）７の上部位置には、このコーナ部７を挟むよ両側の側壁部５に亘って一対のスリット８が上下に配置されている。この一対のスリット８で挟まれた部分は、切り込み部９となっている。この切り込み部９は、包装用緩衝材１をパルプモールドにより成形したときは側壁５のコーナ部７と同じで外側から見ると角状に突出しているが、図２及び図４に示すように、内側へ向けて折り込むことにより、内側の収納凹部４に向けて突出して嵌合を阻止する突部となる。
【００２５】
図２に示すように、切り込み部９が収納凹部４の内側へ折り込まれときは、この収納凹部４内に、他の包装用緩衝材１を底壁部６側から嵌合しようとしても、この切り込み部９の上部が嵌合を阻止するため、包装用緩衝材１同士が深く嵌合して引き離すために力を加える必要がなくなる。このため、何重にも重ねた包装用緩衝材１の束から一つの包装用緩衝材１を引き抜く際に無理な力で引っ張らなくてもよくなり、包装用緩衝材１が破れるという不都合が発生することを回避することができる。
【００２６】
また、本実施例においては、収納凹部４へ収納物品を収納する際は、切り込み部９を元の状態に戻せば、収納物品の収納に支障を来すことを防止できる。
【００２７】
さらに、本実施例においては、切り込み部９をコーナ部７の上部に形成したことにより、収納物品を収納した状態で、この切り込み部９を収納凹部４の内側へ向けて突出させることにより、収納物品を収納凹部４内に収納した状態で保持、若しくは緩衝作用が及ぶようにすることができる。
（その他の実施例）
以上、実施例について説明したが、本発明はこれに限定されるものではなく、構成の要旨に付随する各種の設計変更が可能である。
【００２８】
なお、上述した実施例では、包装用緩衝材１をパルプモールドにより成形したが、他の成形技術を適用した包装用緩衝材であっても本発明を適用できることは云うまでもない。
【産業上の利用可能性】
【００２９】
本発明は、例えば電子機器やその付属品等の他に各種の物品の包装分野で利用することが可能である。
【図面の簡単な説明】
【００３０】
【図１】本発明の実施例に係る包装用緩衝材に収納空間の内側へ突部を形成していない状態を斜め上から見た斜視図である。
【図２】本実施例に係る包装用緩衝材の収納空間の内側へ突部を形成した状態を斜め上から見た斜視図である。
【図３】本実施例に係る包装用緩衝材に収納空間の内側へ突部を形成していない状態を斜め下から見た斜視図である。
【図４】本実施例に係る包装用緩衝材の収納空間の内側へ突部を形成した状態を斜め下から見た斜視図である。
【図５】従来の包装用緩衝材を斜め上方から見た状態を示す斜視図である。
【図６】従来の包装用緩衝材を斜め下方から見た状態を示す斜視図である。
【符号の説明】
【００３１】
１……包装用緩衝材、４……収納凹部、５……側壁、７……コーナ部、８……スリット、９……切り込み部
【図１】
2005145545.tif 000003
【図２】
2005145545.tif 000004
【図３】
2005145545.tif 000005
【図４】
2005145545.tif 000006
【図５】
2005145545.tif 000007
【図６】
2005145545.tif 000008